(57)【要約】【課題】外観を損なわず、且つ取り付ける他の部材の仕様変更にも低コストで対応可能な薄型表示装置を提供する。【解決手段】テレビ１等の薄型表示装置に、表示部の背面１１の一部又は全部に蓋をするための裏蓋１３を備える。裏蓋１３に他の部材（ＰＰＶターミナル２等の電子機器など）を固定するための固定手段を有し、背面１１と裏蓋１３とによって形成される収納部１２に他の部材を収納する。固定手段としてはビス１６やビス穴などが挙げられる。また、他の部材がリモートコントロール可能な電子機器（ＰＰＶターミナル２等）であった場合には、テレビ１の背面１１に設けたＩＲ信号出力端子１７にＩＲ信号伝送ケーブル２２ａを接続し、表示部側に設けられた受光部からのＩＲ信号を電子機器に伝達する。【選択図】図１
2007148263.tif 000002
【特許請求の範囲】
【請求項１】
表示部の背面の一部又は全部に蓋をするための裏蓋を備えた薄型表示装置において、裏蓋に他の部材を固定するための固定手段を有することを特徴とする薄型表示装置。
【請求項２】
前記固定手段は、前記他の部材を前記裏蓋の内側に固定するための手段であることを特徴とする請求項１に記載の薄型表示装置。
【請求項３】
前記固定手段は、前記他の部材を前記裏蓋の外側に固定するための手段であることを特徴とする請求項１に記載の薄型表示装置。
【請求項４】
前記他の部材は、当該薄型表示装置と接続するための電子機器であることを特徴とする請求項１乃至３のいずれか１項に記載の薄型表示装置。
【請求項５】
赤外線のリモートコントローラからの制御信号を受信する受信部と、前記裏面に前記電子機器と接続するための信号出力端子と、前記受信部で受信した制御信号を、当該薄型表示装置の制御信号として伝達する経路と、前記信号出力端子に伝達する経路とを分岐する分岐手段を備えたことを特徴とする請求項４に記載の薄型表示装置。
【請求項６】
前記背面に電源出力端子を設けることにより、前記裏蓋に固定した前記電子機器へ電源を供給可能とすることを特徴とする請求項４又は５に記載の薄型表示装置。
【請求項７】
前記裏蓋の内側で発生する熱を外に放出するためのスリットを、前記裏蓋に設けることを特徴とする請求項４乃至６のいずれか１項に記載の薄型表示装置。
【請求項８】
前記固定手段は、取り付け規格に準拠したビス穴を有することを特徴とする請求項４乃至７のいずれか１項に記載の薄型表示装置。
【請求項９】
前記固定手段は、複数の取り付け形態に対応する複数種類の固定手段を有することを特徴とする請求項１乃至８のいずれか１項に記載の薄型表示装置。
【発明の詳細な説明】
【技術分野】
【０００１】
本発明は、薄型表示装置に関し、より詳細には表示部の背面に裏蓋を備えた薄型表示装置に関する。
【背景技術】
【０００２】
従来から、ホテル用のＰＰＶ（ペイパービュー）モジュールは壁などに一旦取り付けられた後にテレビジョン受像機等のディスプレイに接続されているか、若しくはＰＰＶモジュールがディスプレイの筐体の側面などに取り付けられて接続されている。このような取付形態は、ＰＰＶモジュール（ＰＰＶターミナル）やその信号ケーブルが外に設置されており、煩雑な外観となっている。
【０００３】
特許文献１には、ＴＶに前面から交換できるハードディスクの装着方法に関する技術が開示されている。その装着方法は、ハードディスクに特化したものであり、あくまで前面に設けたスライド式の専用のスロットを設けるものとなっている。また、この装着方法は、ＣＲＴ（Ｃａｔｈｏｄ−Ｒａｙ  Ｔｕｂｅ）ディスプレイを前提としている。
【０００４】
また、近年のディスプレイの薄型化に伴って、薄型表示装置（フラットパネルディスプレイ：ＦＰＤ）にパーソナルコンピュータ（ＰＣ）のような拡張スロットを設け、そのスロットに対応した専用のカードを作成し機能拡張に対応した製品も提案されている。
【特許文献１】特開２００２−２３８００８号公報
【発明の開示】
【発明が解決しようとする課題】
【０００５】
ＦＰＤは、設置に際して場所を占有せず、すっきりとしたデザインになっている。しかしながら、ＰＰＶターミナルやハードディスクなどといった電子機器を外部装置として接続する場合、有線接続が必要となることが多く、必然的にＦＰＤと電子機器との間で配線が必要となるだけでなく、その配線並びに電子機器によってデザインを損なう結果となる。さらに、ＰＰＶモジュールやインタフェース変換ＢＯＸは小型化されているが、上述のごとく近くの壁やＦＰＤの側面などに取り付けられたりしており、配線やＢＯＸ自身を見せることになり煩雑な外観となっている。
【０００６】
さらに、ＦＰＤの筐体に取付部をもつ場合、ＰＰＶターミナル等の電子機器の仕様（大きさや取付用ビス位置等）が変更するたびに、ＦＰＤの筐体も新型化しなければならず、コスト高となってしまう。
【０００７】
また、拡張スロットタイプを採用したＦＰＤの場合、そのＦＰＤを旧型として取り扱い新型の機種を製品化するに際し、拡張スロットに挿入して使用していた拡張カードも一緒に破棄することになる。このため、ホテルなどの業者にとってＦＰＤの選択が減り、また、追加投資が多くなる。さらに、ホテルＰＰＶのシステム業者にとっても専用のカードを作成する必要がある。
【０００８】
また、ケーブルＳＴＢ（Ｓｅｔ  Ｔｏｐ  Ｂｏｘ）、ハードディスク記録装置などの交換記録デバイスを持たない外部機器は通常ディスプレイの下に設置されている。将来、更なる小型化が予想され、ディスプレイ内に内蔵することが望まれるが、内蔵する部分を交換することが難しくなる。
【０００９】
本発明は、上述のごとき実情に鑑みてなされたものであり、外観を損なわず、且つ取り付ける電子機器等の他の部材の仕様変更にも低コストで対応可能な薄型表示装置を提供することをその目的とする。
【課題を解決するための手段】
【００１０】
本発明は、上述のごとき課題を解決するために、以下の各技術手段でそれぞれ構成される。
【００１１】
第１の技術手段は、表示部の背面の一部又は全部に蓋をするための裏蓋を備えた薄型表示装置において、裏蓋に他の部材を固定するための固定手段を有することを特徴としたものである。
【００１２】
第２の技術手段は、第１の技術手段において、前記固定手段は、前記他の部材を前記裏蓋の内側に固定するための手段であることを特徴としたものである。
【００１３】
第３の技術手段は、第１の技術手段において、前記固定手段は、前記他の部材を前記裏蓋の外側に固定するための手段であることを特徴としたものである。
【００１４】
第４の技術手段は、第１乃至第３のいずれかの技術手段において、前記他の部材は、当該薄型表示装置と接続するための電子機器であることを特徴としたものである。
【００１５】
第５の技術手段は、第４の技術手段において、赤外線のリモートコントローラからの制御信号を受信する受信部と、前記裏面に前記電子機器と接続するための信号出力端子と、前記受信部で受信した制御信号を、当該薄型表示装置の制御信号として伝達する経路と、前記信号出力端子に伝達する経路とを分岐する分岐手段を備えたことを特徴としたものである。
【００１６】
第６の技術手段は、第４又は第５の技術手段において、前記背面に電源出力端子を設けることにより、前記裏蓋に固定した前記電子機器へ電源を供給可能とすることを特徴としたものである。
【００１７】
第７の技術手段は、第４乃至第６のいずれかの技術手段において、前記裏蓋の内側で発生する熱を外に放出するためのスリットを、前記裏蓋に設けることを特徴としたものである。
【００１８】
第８の技術手段は、第４乃至第７のいずれかの技術手段において、前記固定手段は、取り付け規格に準拠したビス穴を有することを特徴としたものである。
【００１９】
第９の技術手段は、第１乃至第８のいずれかの技術手段において、前記固定手段は、複数の取り付け形態に対応する複数種類の固定手段を有することを特徴としたものである。
【発明の効果】
【００２０】
本発明によれば、薄型表示装置において、外観を損なわず、且つ取り付ける電子機器等の他の部材の仕様変更にも低コストで対応可能となる。
【発明を実施するための最良の形態】
【００２１】
本発明は、ＦＰＤの入出力端子に接続される多様な外部機器（電子機器）やＦＰＤに取り付けられる他の部材を、ディスプレイの外観を損なうことなく取り付ける（装着する）ことを可能とする。そのため、本発明に係るＦＰＤは、表示部の背面に蓋をする裏蓋を有し、裏蓋に、取り付けされる電子機器等の他の部材を固定するための手段を設ける。なお、裏蓋は、通常、端子カバーとして設けられていることが多い。以下、ＦＰＤに取り付けられる他の部材として、ＰＰＶターミナルを例示しそれと同様にハードティスク装置やＤＶＤ等のディスク読み取り装置等の様々な電子機器に適用可能なものとして説明するが、機器である必要はなく単なる部材であってもよい。
【００２２】
図１は、本発明の一実施形態に係る薄型表示装置の一例を示す概観図で、図２は図１におけるＰＰＶターミナルの一例を示す概観図で、図中、１はＦＰＤの一例としてのテレビジョン受像機（以下、テレビという）、２は電子機器の一例としてのＰＰＶターミナル、１０はテレビ本体、１１は背面の一部、１２は収納部、１３は裏蓋、１４はケーブル穴、１５はスリット、１６はビス、１７はＩＲ信号出力端子、１８はアンテナ接続端子、１９は映像や音声や他のデータの入力端子や出力端子でなる映像・音声入出力端子、２０はターミナル本体、２１はビス穴、２２はケーブル、２２ａはＩＲ信号伝送ケーブルである。
【００２３】
本発明では、テレビ１に、表示部の背面１１の一部又は全部に蓋をするための裏蓋１３を備えるものとする。そして、裏蓋１３にＰＰＶターミナル２等の電子機器（以下、ＰＰＶターミナル２で例示）を固定するための固定手段を有する。裏蓋１３の形状や背面１１の形状は任意でよいが、背面１１に裏蓋１３を取り付けたときにできるだけ隙間を生じないような形状とすることが好ましい。また、ＰＰＶターミナル２のケーブル２２を外部へ導くためのケーブル穴１４を裏蓋１３に設けることが好ましい。
【００２４】
裏蓋１３を背面１１に取り付けたときに背面１１と裏蓋１３とによって形成される収納部１２にＰＰＶターミナル２が収納されることとなる。従って、背面１１及び裏蓋１３の形状は、収納が予想される電子機器が収容可能な大きさを少なくとも形成することを可能にすることが好ましい。また、ＰＰＶターミナル２は、裏蓋１３の内側に付けてもよいし、外側に付けてもよいが、外側に取り付けることを前提とするならば収納部１２はＰＰＶターミナル２の容積を必要としないので、内部にスペースが確保できないような場合に特に有効となる。また、裏蓋１３と背面１１の凹部の寸法を広く公開することで、ディスプレイメーカ以外が裏蓋１３を自作できるようにしておくとよい。
【００２５】
上述のごとき構成により、テレビ１にＰＰＶターミナル２を取り付けても、外観を損なわず、且つ取り付けるＰＰＶターミナル２の仕様変更（大きさやビス１６の取付位置の変更）にも、その製造コストはテレビ本体の筐体に比べて格段に低く対応可能となる。
【００２６】
また、本発明の他の形態として、電子機器がリモートコントロール可能なものであることを前提とすると、テレビ１の背面１１に設けたＩＲ信号出力端子１７にＩＲ信号伝送ケーブル２２ａを接続し、表示部側に設けられた受光部（ＩＲ信号受信部）からのＩＲ信号を電子機器に伝達するよう構成することが好ましい。
【００２７】
このような構成とするために、ＩＲ信号の分岐出力が必要となる。従って、テレビ１は。赤外線のリモートコントローラからの制御信号を受信する受信部と、裏面１１にＰＰＶターミナル２と接続するための信号出力端子（ＩＲ信号出力端子１７）とを備える。そして、受信部で受信した制御信号を、テレビ１の制御信号として伝達する経路と、ＩＲ信号出力端子に伝達する経路とを分岐する分岐回路を備える。そして、ケーブル２２のうちＩＲ信号伝送ケーブル２２ａをＩＲ信号出力端子１７に接続することにより、凹部に設けたＰＰＶターミナル２をテレビ１の前面からリモコンによってコントロールすることができる。
【００２８】
このように、ＰＰＶターミナル２をリモコンから制御できるようにＩＲの分岐回路をテレビ１内に持ち、背面１１（凹部）にＩＲ信号出力端子１７を設け、その端子１７とＰＰＶターミナル２とを接続することで、背面１１に設置したＰＰＶターミナル２をテレビ１の前面からリモコンによってコントロールすることができるようになる。
【００２９】
ＩＲ信号によるＰＰＶターミナル２の制御を行うための接続と同様に、電源出力も背面１１に電源出力端子（電源端子）を設け、その電源端子を介して供給するよう構成してもよい。このように、外部機器用に分岐した電源端子を背面１１の凹部に設けることにより、外部機器への電源ケーブルを外に出す必要がなくなり、テレビ１の外観を損わずに済む。
【００３０】
また、裏蓋１３の内側、すなわち収納部１２にＰＰＶターミナル２を収納する場合、ＰＰＶターミナル２の発熱対策を施すことが好ましい。従って、ＰＰＶターミナル２等の外部機器から発生する熱を外に出すため、裏蓋１３にスリット１５を設けることが好ましい。
【００３１】
固定手段としては、ビス１６や裏蓋及びターミナル本体に設けられたビス穴などが挙げられるが、これに限ったものではない。また、ＰＰＶターミナル２の筐体の内側から裏蓋１３にネジ止めするようにしてもよい。さらに、固定穴を、例えば７．５ｃｍ、１０ｃｍ、２０ｃｍといったビス穴の間隔をもったＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）の取り付け規格に準拠したビス穴とするとよい。ＶＥＳＡ規格などの規格に基づいてビス穴の位置や間隔を決めておくことで、標準化された取り付け方法を採用することができ、各種外部機器に対応可能となる。また、固定手段とは、ビスで固定される実施例に限らず、例えば、蓋にＰＰＶターミナルを固定するための爪等によって引っ掛ける（又は係合させる）機構であってもよい。
【００３２】
また、裏蓋１３のオプションとして、表示部の背面の数カ所に凹部を設け各凹部を裏蓋で蓋をするようにしてもよい。また、固定手段は、複数の取り付け形態に対応する複数種類の固定手段を有するよう構成することが好ましい。このように多様な固定方法を持ったオプションの裏蓋１３を作成することにより、より広範囲な電子機器を設置することが可能となる。
【００３３】
図３は、図１のテレビジョン受信機の一構成例を示すブロック図で、図中、１はテレビ本体、２は外部機器（電子機器）、４はリモコンユニット、２２ａはＩＲ信号伝送ケーブル、２３は外部機器のマイクロコンピュータ（以下、外部機器マイコン）、２４は処理回路、３０は液晶ディスプレイ等のディスプレイ、３１Ｌは左スピーカ、３１Ｒは右スピーカ、３２は映像処理ＩＣ（Ｉｎｔｅｇｒａｔｅｄ  Ｃｉｒｃｕｉｔ）、３３は本体のマイクロコンピュータ（以下、本体マイコン）、３４は音声処理ＩＣ、３５は本体操作部、３６ａ，４６ｂはリモコン受光部、３６ｂ，４６ａはリモコン送光部、４３はリモコンのマイクロコンピュータ（以下、リモコンマイコン）、４５はリモコン操作部である。また、ＩＲ信号出力端子１７及び映像・音声入出力端子１９は、図１のそれと同じであり、これらによって外部入出力部をなしている。また、図１のアンテナ接続端子１８はチューナに繋がっており、ここではチューナ１８として図示している。
【００３４】
テレビ本体１は、主として、映像処理した映像信号を映し出す液晶等のディスプレイ３０、音声処理した音声信号を出力する左右のスピーカ３１Ｌ，３１Ｒ、アンテナ及びチューナ部１８や映像・音声入出力端子１９などの映像・音声入力部、入力した映像信号に対し各種映像処理を施す映像処理ＩＣ３２、本体マイコン３３、入力した音声信号に対し各種音声処理を施す音声処理ＩＣ３４、操作キーを有しユーザ操作を受け付ける本体操作部３５、リモコンユニット４からの光を受光するリモコン受光部３６ａ、及び、リモコンユニット４へ送光するリモコン送光部３６ｂにより構成される。また、本体操作部３５、映像処理ＩＣ３２、音声処理ＩＣ３４、リモコン受光部３６ａ、及びリモコン送光部３７ｂは、本体マイコン３３によって制御される。
【００３５】
一方、リモコンユニット４は、主として、リモコンマイコン４３、リモコン送光部３６ｂからの光を受光するリモコン受光部４６ｂ、リモコン受光部３６ａへ送光するリモコン送光部４６ａ、及び、複数のリモコンキーを有しユーザ操作を受け付けるリモコン操作部４５により構成される。また、リモコン操作部４５、リモコン送光部４６ａ、及びリモコン受光部４６ｂは、リモコンマイコン４３によって制御される。なお、ここでは、リモコンユニット４とテレビ本体１とで双方向通信が可能なものを、例に挙げて説明している。
【００３６】
また、外部機器２は、主として、外部機器マイコン２３、及び各種処理を実行するための処理回路２４により構成される。ここで、処理回路２４はマイコン２３によって制御される。外部機器マイコン２３にはＩＲ信号伝送ケーブル２２ａが電気的に繋がっているものとする。
【００３７】
上述した分岐回路としては、例えば次のように本体マイコン３３内に設ければよい。まず、リモコン受光部３６ａで受信したＩＲ信号は本体マイコン３３に入力される。本体マイコン３３では、そのＩＲ信号がテレビ１の本体の制御に対するＩＲ信号であるならばそのまま制御を実行する。本体マイコン３３は、受信したＩＲ信号が外部機器２に対するＩＲ信号であると判定した場合、すなわちテレビ１の本体の制御に係わるＩＲ信号でないと判定した場合には、ＩＲ信号出力端子１７にその信号を伝達する。ＩＲ信号出力端子１７にはＩＲ信号伝送ケーブル２２ａが接続されており、ＩＲ信号伝送ケーブル２２ａは外部機器マイコン２３に接続されている。従って、ＩＲ信号伝送ケーブル２２ａを介して伝達されたＩＲ信号（或いはＩＲ信号に起因する信号）は、外部機器マイコン２３に伝送され、その信号に基づき、外部機器２の各種処理回路２４が制御される。また、このことはリモコンユニット４側へのＩＲ信号の送信についても言えることであり、外部機器２とリモコンユニット４との双方向通信も実現できる。
【００３８】
なお、ＩＲ信号に起因する信号とは、受信したＩＲ信号を復調だけして伝送するものではない。例えば、復調後のＩＲ信号に符号化処理などを施して、他のＲＳ２３２Ｃやｉリンクといった接続であってもそのままデータ伝送可能なようにデジタル信号に変換するとよい。
【００３９】
以上、本発明によれば、表示部の裏面に設けられた裏蓋に外部装置の設置をおこない、薄型のディスプレイの奥行きの無い場所にもその設置をすることが可能となる。また、専用の拡張スロットタイプと異なり、裏蓋の種類又は複数の取り付け方法を裏蓋に設けることにより各種の機器を取り付けることが可能になる。また、それらの外部機器は、本ディスプレイ専用である必要は無く、他のディスプレイに利用することも可能なものである。また、外部機器が小型のモジュールの場合、裏蓋のディスプレイ側に設置し、配線を隠すことも可能となる。さらに、ケーブルＳＴＢ、ハードディスク記録装置などの交換記録デバイスを持たない外部機器であれば、ＩＲ信号の分岐出力をディスプレイ背面から出すことにより、背面に設置できる。また、その部分のみの交換も容易に行うことができる。
【００４０】
さらに、本発明によれば、外に見えていた装置を隠すことができ、薄型表示装置のデザインを損なうことが無くなるだけでなく、配線のほとんどを隠すことも可能となる。また、外見を損なわないようにするために、専用の外部機器を作成する必要もない。そして、ディスプレイメーカだけではなく、他社も取り付け対応した機器を、複雑な仕様を公開することなく容易に作成できる。
【００４１】
このように、本発明によれば、薄型表示装置において、外観を損なわず、且つ取り付ける電子機器等の他の部材の仕様変更にも低コストで対応可能となる。
【図面の簡単な説明】
【００４２】
【図１】本発明の一実施形態に係る薄型表示装置の一例を示す概観図である。
【図２】図１におけるＰＰＶターミナルの一例を示す概観図である。
【図３】図１のテレビジョン受信機の一構成例を示すブロック図である。
【符号の説明】
【００４３】
１…テレビジョン受像機（テレビ）、２…外部機器（ＰＰＶターミナル等）、４…リモコンユニット、１０…テレビ本体、１１…背面の一部、１２…外部機器（ＰＰＶターミナル）収納部、１３…裏蓋、１４…ケーブル穴、１５…スリット、１６…ビス、１７…ＩＲ信号出力端子、１８…アンテナ接続端子（チューナ）、１９…映像・音声入出力端子、２０…ターミナル本体、２１…ビス穴、２２…ケーブル、２２ａ…ＩＲ信号伝送ケーブル、２３…外部機器マイコン、２４…処理回路、３０…ディスプレイ、３１Ｌ…左スピーカ、３１Ｒ…右スピーカ、３２…映像処理ＩＣ、３３…本体マイコン、３４…音声処理ＩＣ、３５…本体操作部、３６ａ，４６ｂ…リモコン受光部、３６ｂ，４６ａ…リモコン送光部、４３…リモコンマイコン、４５…リモコン操作部。
【図１】
2007148263.tif 000003
【図２】
2007148263.tif 000004
【図３】
2007148263.tif 000005